(57)【要約】      （修正有）【課題】マーカーとして使え、且つカウンタ機能も常に適正に発揮できるマーカーを兼ねるゴルフスコア表示器を提供する。【解決手段】ゴルフスコア表示器Ａは、第１径小円盤部２が一対の係止片と一対のストッパを有する円筒部を備え、第２径小円盤部は前記円筒部が装着される円形孔を有する厚肉基部を備え、該厚肉基部は第１径小円盤部２の一対の係止片が係止する係止受け部及び第１径小円盤部２の一対のストッパが嵌合する嵌合受け部を有し、第１径小円盤部２の一対の係止片が第２径小円盤部の係止受け部に係止され、ストッパが第２径小円盤部の嵌合受け部に嵌め込まれて第１径小円盤部２と第２径小円盤部とが一体に取り付けられ、径大円盤部１に回転自在支持されている。【選択図】図１
2016097140.tif 000002
【特許請求の範囲】
【請求項１】
マーカーを兼ねるゴルフスコア表示器であって、中央孔を有する径大円盤部と該径大円盤部の一方側に配設された第１径小円盤部と他方側に配設された第２径小円盤部とを備え、これら第１径小円盤部と第２径小円盤部とが相互に嵌め込まれて径大円盤部に対して回動自在となっており、径大円盤部には周に沿って一定間隔で整数値が設けられ、第１径小円盤部には径大円盤部の前記整数値に対応させるための目印部が設けられていることを特徴とするゴルフスコア表示器。
【請求項２】
第１径小円盤部が一対の係止片と一対のストッパを有する円筒部を備え、第２径小円盤部は前記円筒部が装着される円形孔を有する厚肉基部を備え、該厚肉基部は第１径小円盤部の一対の係止片が係止する係止受け部及び第１径小円盤部の一対のストッパが嵌合する嵌合受け部を有し、第１径小円盤部の一対の係止片が第２径小円盤部の係止受け部に係止され、ストッパが第２径小円盤部の嵌合受け部に嵌め込まれて第１径小円盤部と第２径小円盤部とが一体に取り付けられていることを特徴とする請求項１記載のゴルフスコア表示器。
【請求項３】
第２径小円盤部の厚肉基部に係止する爪部材を備え、該爪部材の位置決め突起が前記径大円盤部の中央孔の内周に形成された窪み部に掛止されて、第２径小円盤部が径大円盤部に対して段階的に回動するものであることを特徴とする請求項２記載のゴルフスコア表示器。
【請求項４】
爪部材の位置決め突起が径大円盤部の中央孔の窪み部に掛止される位置で、径大円盤部の整数値と第１径小円盤部の目印部とが対応するようになっていることを特徴とする請求項３記載のゴルフスコア表示器。
【請求項５】
径大円盤部の中央孔が多角形状であることを特徴とする請求項３記載のゴルフスコア表示器。
【請求項６】
第２径小円盤部に金属盤が取り付けられていることを特徴とする請求項１記載のゴルフスコア表示器。
【請求項７】
は  径大円盤部の外周に一定間隔で切欠き部が形成されていることを特徴とする請求項１記載のゴルフスコア表示器。
【発明の詳細な説明】
【技術分野】
【０００１】
本発明は、マーカーを兼ねるゴルフスコア表示器に関し、詳しくは、マカーとして使え、且つカウンター機能も常に適正に発揮できるマーカーを兼ねるゴルフスコア表示器に関する。
【背景技術】
【０００２】
ゴルフをプレーする際は、自分の打った球の打数を、各ホール毎に加算して記憶する必要がある。
各ホール毎に、各自自分の打数をスコアカードに記録しておき、９ホール（すなわち「ハーフ」）が終了した段階で集計する。
ところが、プレー中は焦って自分の打数を忘れて間違えて記録することがあり、往々にして初心者ほどその傾向が強い。
自己申告制の紳士のスポーツであるゴルフとしては、このような事態は極力避けなければならない。
このようなことから、従来からスコアカウンターが開発されてきており、今では、打数の表示方法として、デジタルなものやアナログなものが種々提供されている。
【０００３】
例えば、特許文献１には、ゴルフの打数計数装置が開示されている。
この装置は、同方向で併列に配置された送り爪と止め爪、及び弾性を有する形状でばね片を形成して一体成型される押しボタンと、打数を示す数字を印字した表示板を追動させるラチェット歯車と、上カバー及び下カバーで構成され、送り爪と止め爪をラチェット歯車の外径にまたがらせて噛み合わせたゴルフの打数計数装置である。
ところで、ゴルフのスコアカウンター機能に加えてボールマーカーとしての機能も備えたものも提供されている。
【０００４】
例えば、特許文献２には、ゴルフのスコアカウンターであってボールマーカーとして使えるものが開示されている。
このスコアカウンター付きボールマーカーは、ゴルフ用ボールマーカー本体と、該ボールマーカー本体へ中心支軸の回り回転自在に内装された文字表示板と、該文字表示板を回転させるために前記本体に装着された操作杆と、前記文字表示円板の数を表示させるためにボールマーカー本体の一部に開けられた小窓と、ボールマーカー本体自体をグリーンに位置決めするためボールマーカー本体の下側中心に設けられた突起とからなるものである。
【０００５】
また、特許文献３にも、ゴルフ競技でも使えるスコアカウンターであってボールマーカーとして使えるボールマークが開示されている。
このボールマークは、上カバーと下カバーとの組み合わせでなる扁平な円柱形の外周の一部を切り欠いて押しボタン部片を配し、ストローク数を表す数値を、上カバーに形成した窓部位で読み取るボールマークである。
【０００６】
これらの装置は、ゴルフの打数をカウントできる上に、マーカーとしても使えるので便利である。
しかし、カウントした打数(具体的には数値)は、区画された表示窓を通して見る構造となっているので、窓に土、砂等が入り込み打数が見えなくなることがある。
【０００７】
通常、グリーンには、砂，土、芝小片等が存在しているので、ボールをマークする際、それらが数値を表示する窓に入り込み易いのである。
特に、表示窓部は凹んでいるので砂等で埋まり易くスコアカウンター機能が発揮しにくい。
このように、マーカーとしては使えるが、常に適正にスコアカウンター機能が発揮されるとは限らない。
【先行技術文献】
【特許文献】
【０００８】
【特許文献１】実開平３−７７０号
【特許文献２】実開平２−５５９７５号
【特許文献３】実用新案登録２５０６９７１号
【発明の概要】
【発明が解決しようとする課題】
【０００９】
本発明は以上のような諸事情を背景になされたものである。
すなわち本発明の目的は、マーカーとして使え、且つカウンタ機能も常に適正に発揮できるマーカーを兼ねるゴルフスコア表示器を提供することである。
【課題を解決するための手段】
【００１０】
上記課題を解決するため、窓ではなく円周状に数値を表示することにより、これらの問題点を解決できることを見出し、この知見をもとに本発明のマーカーを兼ねるゴルフスコア表示器の完成に至った。
【００１１】
即ち、本発明は、（１）、マーカーを兼ねるゴルフスコア表示器Ａであって、中央孔１１を有する径大円盤部１と該径大円盤部１の一方側に配設された第１径小円盤部２と他方側に配設された第２径小円盤部３とを備え、これら第１径小円盤部２と第２径小円盤部３とが相互に嵌め込まれて径大円盤部１に対して回動自在となっており、径大円盤部１には周に沿って一定間隔で整数値Ｎが設けられ、第１径小円盤部２には径大円盤部１の前記整数値Ｎに対応させるための目印部Ｍが設けられているゴルフスコア表示器Ａに存する。
【００１２】
即ち、本発明は、（２）、第１径小円盤部２が一対の係止片２１Ａと一対のストッパ２１Ｂを有する円筒部２１を備え、第２径小円盤部３は前記円筒部２１が装着される円形孔を有する厚肉基部３１を備え、該厚肉基部３１は第１径小円盤部２の一対の係止片２１Ａが係止する係止受け部及び第１径小円盤部２の一対のストッパ２１Ｂが嵌合する嵌合受け部３１Ａを有し、第１径小円盤部２の一対の係止片２１Ａが第２径小円盤部３の係止受け部に係止され、ストッパ２１Ｂが第２径小円盤部３の嵌合受け部３１Ａに嵌め込まれて第１径小円盤部２と第２径小円盤部３とが一体に取り付けられている上記（１）記載のゴルフスコア表示器Ａに存する。
【００１３】
即ち、本発明は、（３）、第２径小円盤部３の厚肉基部３１に係止する爪部材４を備え、該爪部材４が前記径大円盤部１の中央孔１１の内周部に形成された窪み部１１Ａに掛止されて、第２径小円盤部３が径大円盤部１に対して段階的に回動するものである上記（２）記載のゴルフスコア表示器Ａに存する。
【００１４】
即ち、本発明は、（４）、爪部材４の位置決め突起４１が径大円盤部１の中央孔１１の窪み部１１Ａに掛止される位置で、径大円盤部１の整数値Ｎと第１径小円盤部２の目印部Ｍとが対応するようになっている上記（３）記載のゴルフスコア表示器Ａに存する。
【００１５】
即ち、本発明は、（５）、径大円盤部１の中央孔１１が多角形状である上記（３）記載のゴルフスコア表示器Ａに存する。
【００１６】
即ち、本発明は、（６）、第２径小円盤部３に金属盤が取り付けられている上記（１）記載載のゴルフスコア表示器Ａ。
【００１７】
即ち、本発明は、（７）、径大円盤部１の外周に一定間隔で切欠き部が形成されていることを特徴とする請求項１記載のゴルフスコア。
【００１８】
なお、本発明の目的に沿ったものであれば上記（１）から（７）を適宜組みあわせた構成も採用可能である。
【発明の効果】
【００１９】
マーカーを兼ねるゴルフスコア表示器Ａであって、中央孔１１を有する径大円盤部１と該径大円盤部１の一方側に配設された第１径小円盤部２と他方側に配設された第２径小円盤部３とを備え、これら第1径小円盤部２と第２径小円盤部３とが相互に嵌め込まれて径大円盤部１に対して回動自在となっており、径大円盤部１には周に沿って一定間隔で整数値Ｎが設けられ、第1径小円盤部２には径大円盤部１の前記整数値Ｎに対応させるための目印部Ｍが設けられていることにより、マーカーとして使え、且つカウンタ機能も常に適正に発揮できる。
しかも両側から指で挟んで回動させて打数を合わせるので、操作が確実で且つ簡単に行える。
部品数が少ないので、組み付けが効率よく行われる。
【００２０】
第１径小円盤部２が一対の係止片２１Ａと一対のストッパ２１Ｂを有する円筒部２１を備え、第２径小円盤部３が前記円筒部２１に装着される円形孔を有する厚肉基部３１を備え、該厚肉基部３１は第１径小円盤部２の一対の係止片２１Ａが係止する係止受け部及び第1径小円盤部２の一対のストッパ２１Ｂが嵌合する嵌合受け部３１Ａを有し、第１径小円盤部２の一対の係止片２１Ａが第２径小円盤部３の係止受け部に係止され、ストッパ２１Ｂが第２径小円盤部３の嵌合受け部３１Ａに嵌め込まれて第１径小円盤部２と第２径小円盤部３とが一体に取り付けられているので、径大円盤部１、第１径小円盤、及び第２径小円盤の組み付けが極めて容易に行われる。
【００２１】
第２径小円盤部３の厚肉基部３１に係止する爪部材４を備え、該爪部材４が前記径大円盤部１の中央孔１１の内周部に形成された窪み部１１Ａに掛止されて、第２径小円盤部３が径大円盤部１に対して段階的に回動するものであるので径大円盤部１の整数と第1径小円盤部２の目印部Ｍとを合致させることができる。
【００２２】
爪部材４の位置決め突起４１が径大円盤部１の中央孔１１の窪み部１１Ａに掛止される位置で、径大円盤部１の整数値Ｎと第1径小円盤部２の目印部Ｍとが対応するようになっているので、段階的な回転の停止位置でスコアが読み取れ便利である。
【００２３】
径大円盤部１の中央孔１１が多角形状であることにより、等間隔で段階的な回動操作が容易に行える。
【００２４】
第２径小円盤部３に金属盤が取り付けられているので、ゴルフスコア表示器Ａを磁着により他部所に仮固定することができる。
【００２５】
径大円盤部１の外周に一定間隔で切欠き部が形成されていることにより、径大円盤部１を指で回動する場合に、操作がし易い。
【図面の簡単な説明】
【００２６】
【図１】図１は、本発明の実施の形態を示すゴルフスコア表示器を示し、（Ａ）は斜視図であり、（Ｂ）は正面図である。
【図２】図２は、本発明の実施の形態を示すゴルフスコア表示器の径大円盤部を示す図であり、（Ａ）は平面図であり、（Ｂ）は裏面図である。
【図３】図３は、本発明の実施の形態を示すゴルフスコア表示器の第１径小円盤部を示す図であり、（Ａ）は平面図であり、（Ｂ）は裏面図であり、（Ｂ）は側面図である。
【図４】図４は、本発明の実施の形態を示すゴルフスコア表示器の第２径小円盤部を示す図であり、（Ａ）は平面図であり、（Ｂ）は裏面図であり、（Ｂ）は側面図である。
【図５】図５は、本発明の実施の形態を示すゴルフスコア表示器の爪部材を平面図である。
【図６】図６は、本発明の実施の形態を示すゴルフスコア表示器の組み付け方法を示す説明図である。
【図７】図７は、本発明の実施の形態を示すゴルフスコア表示器の使用方法を示す説明図である。
【発明を実施するための形態】
【００２７】
以下、必要に応じて図面を参照しつつ、本発明の好適な実施形態について詳細に説明する。
（第１の実施の形態）
本発明のゴルフスコア表示器Ａは、グリーン上でのマーカーとして使用でき、且つスコアカウンターとしても使えるものである。
すなわちマーカー機能とスコアカウンター機能の２つの機能を有するものでマーカーを兼ねるゴルフスコア表示器Ａとして使うことができる。
【００２８】
図１は、本発明の実施の形態を示すゴルフスコア表示器Ａを示し、（Ａ）は斜視図であり、（Ｂ）は正面図である。
その構成部品としては、中央孔１１を有する径大円盤部１と該径大円盤部１の両側に嵌め込まれて配設された第１径小円盤部２と第２径小円盤部３(図６参照)とを備える。
第１径小円盤部２及び第２径小円盤部３は、径大円盤部１より径が小さく形成されている。
【００２９】
（径大円盤部）
図２は、本発明の実施の形態を示すゴルフスコア表示器Ａの径大円盤部１を示す図であり、（Ａ）は平面図であり、（Ｂ）は、裏面図である。
径大円盤部１は中央孔１１を有しており、その中央孔１１の周辺には窪み部１１Ａが形成されている。
図では、１０個の窪み部１１Ａとなっており、このような形状を与えるには、１０角形状の中央孔１１が形成されることで達成が可能である。
【００３０】
また、径大円盤部１には周に沿って一定間隔で数値Ｎが設けられているが、この数値Ｎとしては、整数値Ｎが使われ、ゴルフ場でのショットの数を表示することができるものである。
図では１〜１０の整数値Ｎが描かれているが、１０以上の整数値Ｎが描かれていても当然よい。
一方、径大円盤部１の外周には、一定間隔で、半円状の切欠き部１２が形成されているが、これがあることで、径大円盤部１を指で回動させる際、引っ掛かりができて回し易く、操作が便利である。
また径大円盤部１の両側には表面より一段下がった状態の凹部が形成されており、それぞれ第1径小円盤部２と第２径小円盤部３とが嵌り込むことができる。
【００３１】
（第１径小円盤部）
図３は、本発明の実施の形態を示すゴルフスコア表示器Ａの第1径小円盤部２を示す図であり、（Ａ）は平面図であり、（Ｂ）は裏面図であり、（Ｃ）は側面図である。
第１径小円盤部２は一方の側面に円筒部２１を備えており、該円筒部２１には一対の係止片２１Ａと一対のストッパ２１Ｂを備えている。そのうち係止片２１Ａは、円筒部２１に切り込みを形成し、その上端部に返り部を設けたものである。
ストッパ２１Ｂは、円筒部２１から外方に伸びる突起形状となっている。
【００３２】
第１径小円盤部２の他方の側面には径大円盤部１に設けられた整数値Ｎに対応させるための目印部Ｍが設けられている。
この目印部Ｍは図に示すような３角形に限らず、４角形、〇、点、矢印等、目印として視認できるものであればよい。
【００３３】
（第２径小円盤部）
図４は、本発明の実施の形態を示すゴルフスコア表示器Ａの第２径小円盤部３を示す図であり、（Ａ）は平面図であり、（Ｂ）は、裏面図であり、（Ｃ）は側面図である。
第２径小円盤部３の一方の側面には第１径小円盤部２の円筒部２１が装着される厚肉基部３１を備え、該厚肉基部３１には、外方向に伸びる一対の嵌合受け部３１Ａが設けられている。
【００３４】
嵌合受け部３１Ａは、第１径小円盤部２のストッパ２１Ｂが嵌合するものである。
また嵌合受け部３１Ａには、次に述べる爪部材４の把持片４２が外側から固定されることとなる。
更に第２径小円盤部３の他方の側面には、やや凹んだ係止受け部３２が設けられている。
係止受け部３２には、第１径小円盤部２の一対の係止片２１Ａ、詳しくは係止片２１Ａの返り部が係止される。
【００３５】
（爪部材）
図５は、本発明の実施の形態を示すゴルフスコア表示器Ａの爪部材４を平面図である。
爪部材４は、径大円盤部１に対する第１径小円盤部２及び第２径小円盤部３の回動を段階的に行うためのものである。
爪部材４の形状は、環状の輪で、内方に把持片４２が設けられ、外方には位置決め突起４１が形成されている。
爪部材４は、第２径小円盤部３の厚肉基部３１に係止することができ、その状態では厚肉基部３１の嵌合受け部３１Ａに爪部材４の把持片４２が嵌って固定されている。
【００３６】
そして、該爪部材４の位置決め突起４１が前記径大円盤部１の中央孔１１の周囲に形成された窪み部１１Ａに掛止される。
従って、第２径小円盤部３を径大円盤部１に対して回動させると、この爪部材４によって第２径小円盤部３は段階的に（すなわち間欠的に）回動する。
当然、第２径小円盤部３に嵌りこんでいる第１径小円盤部２も同様に回動することができる。
このように、第２径小円盤部３を径大円盤部１に対して回動させると、爪部材４の位置決め突起４１が径大円盤部１の中央孔１１の周囲に形成された窪み部１１Ａに嵌まり込む位置で（すなわち多角形状の角部に嵌まり込む位置で）、径大円盤部１の整数値Ｎと第１径小円盤部２の目印部Ｍとが対応するようになっている。
【００３７】
ここで図６は、本発明の実施の形態を示すゴルフスコア表示器Ａの組み付け方法を示す説明図である。
径大円盤部１に対して一方側から（紙面で裏側から）第２径小円盤部３を嵌めると、径大円盤部１の中央孔１１の真ん中に第２径小円盤部３の厚肉基部３１が位置決めされる。
その後、厚肉基部３１に爪部材４を取り付ける。
詳しくは厚肉基部３１の嵌合受け部３１Ａの外側に爪部材４の把持片４２を固定する。
その後、径大円盤部１に対して他方側から（紙面の表側から）第１径小円盤部２を嵌めると同時に、第1径小円盤部２のストッパ２１Ｂを第２径小円盤部３の嵌合受け部３１Ａに嵌合し、係止片２１Ａの返り部を第２径小円盤部３の係止受け部３２に係止する。
これで各部品の組み付けは終了する。
【００３８】
このように本発明のゴルフスコア表示器Ａは、上述のような部品を備えており、第１径小円盤部２と第２径小円盤部３とが径大円盤部１を両側面から挟み込むようにしての互いに嵌合して取り付けられており、爪部材４も、第２径小円盤部３に簡単に係止することができるので、組み付けが極めて容易である。
また第１径小円盤部２と第２径小円盤部３とが、一体となって径大円盤部１に対して回動するので操作がし易い。
【００３９】
次に本発明の実施の形態を示すゴルフスコア表示器Ａの操作方法を示す。
図７は、ゴルフスコア表示器Ａの操作方法を示す説明図であり、（Ａ）は操作方法１を示し、（Ｂ）は操作方法２を示す。
【００４０】
（操作方法１）
本発明のゴルフスコア表示器Ａを使う場合は、一方の手の指で表と裏側を摘まみ固定した状態で、他方の手の指で径大円盤部１を把持する。
そしてこの状態のまま径大円盤部１を回動させる。
径大円盤部１の外周には一定間隔で切欠き部１２が形成されているので、引っ掛かりができて回動し易い。
【００４１】
また、爪部材４の位置決め突起４１が前記径大円盤部１の中央孔１１の周囲に形成された窪み部１１Ａに掛止されるので、回動が段階的に行われる。
第１径小円盤部２の目印部Ｍの位置が径大円盤部１の整数値Ｎのどの位置を指しているのかを視認することで、スコアが読み取れる。
尚、一旦、グリーンにオンした後は、マーカーとして使えばよい。
【００４２】
マーカーとして使っても、従来のマーカー兼スコアカウンターとは異なって、本発明のゴルフスコア表示器Ａはスコアを表示する窓がないため、土砂、芝片等が窓に詰まってスコアが読めないというような問題点は生じない。
このような回動操作を、例えば、ショートコースで２オン、３パットであれば、計５回を行うこととなる。
【００４３】
（操作方法２）
本発明のゴルフスコア表示器Ａを一方の手の指で表と裏側を摘まみ、他方の手の指で径大円盤部１を把持して固定しておく。
そしてこの状態で第１径小円盤部２と第２径小円盤部３を径大円盤部１に対して回動させる。
後は操作方法１と同じ手順でよい。
これらのどの使用方法も、第１径小円盤部２の目印部Ｍが径大円盤部１の周囲の整数値Ｎを指すことで簡単にスコアを読み取ることができる。
【００４４】
以上、本発明をその実施の形態を例に説明したが、本発明は要旨の変更のない限り、実施の形態のみに限定されるものではなく多様な変形例が可能である。
例えばゴルフスコア表示器Ａの裏側、すなわち第２径小円盤部３に図示しない金属盤を備えることにより、磁着が可能となる。
また径大円盤部１、第１径小円盤部２、第２径小円盤部３、及び爪部材４は、プラスチック材で形成されるが、その全部或いは一部を金属材とすることも可能である
【産業上の利用可能性】
【００４５】
本発明のマーカーを兼ねるゴルフスコア表示器Ａは、中央孔１１を有する径大円盤部１と該径大円盤部１の一方側に配設された第１径小円盤部２と他方側に配設された第２径小円盤部３とを備え、これら第１径小円盤部２と第２径小円盤部３とが相互に嵌め込まれて径大円盤部１に対して回動自在となっており、径大円盤部１には周に沿って一定間隔で整数値Ｎが設けられ、第１径小円盤部２には径大円盤部１の前記整数値Ｎに対応させるための目印部Ｍが設けられている。
マーカーとして使え、且つカウンタ機能においても数値Ｎが見えなくなることがなく、常に適正に発揮できる。
しかも両側から指で挟んで回動させて打数を合わせるので操作が確実で且つ簡単に行える。
部品数が少ないので組み付けも効率よく行われる。
この点を利用する限り、他へ転用も可能である。
【符号の説明】
【００４６】
Ａ…ゴルフスコア表示器
１…径大円盤部
１１…中央孔
１１Ａ…窪み部
１２…切欠き部
２…第１径小円盤部
２１…円筒部
２１Ａ…係止片
２１Ｂ…ストッパ
３…第２径小円盤部
３１…厚肉基部
３１Ａ…嵌合受け部
３２…係止受け部
４…爪部材
４１…位置決め突起
４２…把持片
Ｎ…整数値（数値）
Ｍ…目印部
【図１】
2016097140.tif 000003
【図２】
2016097140.tif 000004
【図３】
2016097140.tif 000005
【図４】
2016097140.tif 000006
【図５】
2016097140.tif 000007
【図６】
2016097140.tif 000008
【図７】
2016097140.tif 000009